(57)【要約】エレベータ用遮音装置は、巻上機が設置された機械室とかご及びおもりが昇降される昇降路との隔壁である機械室床にロープ孔が開けられ、このロープ孔に複数のロープが通され、ロープにかご及びおもりが吊るされ、かご及びおもりの昇降にともないロープ孔を通過するロープの位置が往復移動するエレベータに設けられたエレベータ用遮音装置であって、ロープの周囲のロープ孔を塞ぐとともに隔壁に沿う方向に変位できるように配置されたロープ孔塞ぎ部材と、ロープ孔を通過する位置が往復移動するロープにロープ孔塞ぎ部材を係合させる係合手段と、を備えたものである。
2016143111.tif 000002
【特許請求の範囲】
【請求項１】
機械室と昇降路との隔壁に開けられたロープ孔に複数のロープが通され、前記ロープにかご及びおもりが吊るされ、前記かご及びおもりの昇降にともない前記ロープ孔を通過する前記ロープの位置が往復移動するエレベータに設けられたエレベータ用遮音装置であって、
前記ロープの周囲の前記ロープ孔を塞ぐとともに前記隔壁に沿う方向に変位できるように配置された塞ぎ部材と、
前記位置が往復移動する前記ロープに前記塞ぎ部材を係合させる係合手段と、
を備えたことを特徴とするエレベータ用遮音装置。
【請求項２】
前記塞ぎ部材は、前記ロープが通された孔を有し、
前記係合手段は、前記孔の縁よりも前記ロープ側へ突出して前記ロープと接触するとともに前記ロープを挟むように前記塞ぎ部材に設けられた接触部材を有することを特徴とする請求項１に記載のエレベータ用遮音装置。
【請求項３】
前記接触部材は、前記ロープを挟んで互いに対向する一対のローラであり、前記ローラの少なくともいずれかの外周部には、前記ロープが嵌る溝が設けられていることを特徴とする請求項２に記載のエレベータ用遮音装置。
【請求項４】
１の前記塞ぎ部材は前記ロープが１のみ通された孔を１のみ有することを特徴とする請求項１に記載のエレベータ用遮音装置。
【請求項５】
一対の前記塞ぎ部材が１の前記ロープを挟んで互いに対向して設けられ、
前記係合手段は、それぞれの前記塞ぎ部材に設けられて前記ロープが嵌る切り欠きと、基部が前記隔壁に取り付けられ先端部が前記塞ぎ部材を支持して前記切り欠きを前記ロープに押し当てる弾性部材と、を有することを特徴とする請求項１に記載のエレベータ用遮音装置。
【発明の詳細な説明】
【技術分野】
【０００１】
本発明は、エレベータ用遮音装置に関するものである。
【背景技術】
【０００２】
エレベータでは、昇降路の上に隔壁を挟んで機械室が設けられている。機械室には綱車を備えた巻上機、そらせ車が設置されている。綱車、そらせ車に巻き掛けられた複数のロープは、隔壁に開けられた孔を通って昇降路に降ろされ、このロープにかご及びおもりが吊るされている。巻上機のモータにより綱車が回転駆動されるとロープを介してかご及びおもりが昇降される。これにともない、モータなどから騒音が発生する。この騒音は隔壁の孔及び昇降路を経て乗り場やかご内などへ伝わる。このように伝わる騒音を抑制するために隔壁の孔に消音ロープダクトを設けている。（特許文献１参照）
【先行技術文献】
【特許文献】
【０００３】
【特許文献１】特開２００３−４０５５７号公報
【発明の概要】
【発明が解決しようとする課題】
【０００４】
ところで、ロープの両端部にそれぞれシャックルを介してかご及びおもりが吊られているエレベータがある。ロープが巻き掛けられる綱車、そらせ車のそれぞれの綱溝の間隔よりもシャックルの間隔の方が広い。このためロープの間隔は綱車、そらせ車からかご、おもりの方へ向うに連れて広がっている。このロープが広がる角度はかご、おもりの昇降にともない変化する。また、動滑車である吊り車を介してかご及びおもりがロープに吊られているエレベータがある。綱車、そらせ車と吊り車のそれぞれの回転軸が互いに９０度の角度を成して設置されており、複数のロープが並ぶ向きは綱車、そらせ車から吊り車へ向かうに連れて９０度回転し、その回転する角度はかご、おもりの昇降にともない変化する。【０００５】
このようにかご及びおもりの昇降にともないロープの経路は変化する。そして、ロープが隔壁の孔を通過する位置は往復移動する。このため、通過するロープの水平方向の断面積だけではなく、ロープが移動するための空間も含めた大きさの孔が隔壁に開けられている。隔壁に開けられた孔について、ロープが移動するための空間を塞ぐものはないので機械室から乗り場やかごに騒音が伝わりやすい。【０００６】
本発明は、かかる問題を解決するためになされたもので、かご及びおもりを吊るすロープを通すために機械室と昇降路との隔壁に開けたロープ孔から伝わる騒音を抑制できるエレベータ用遮音装置を得ることを目的とする。
【課題を解決するための手段】
【０００７】
本発明に係るエレベータ用遮音装置は、機械室と昇降路との隔壁に開けられたロープ孔に複数のロープが通され、ロープにかご及びおもりが吊るされ、かご及びおもりの昇降にともないロープ孔を通過するロープの位置が往復移動するエレベータに設けられたエレベータ用遮音装置であって、ロープの周囲のロープ孔を塞ぐとともに隔壁に沿う方向に変位できるように配置された塞ぎ部材と、位置が往復移動するロープに塞ぎ部材を係合させる係合手段と、を備えている。【０００８】
本発明によれば、係合手段は、往復移動するロープに塞ぎ部材を係合させるので、塞ぎ部材はロープの位置の往復移動に合わせて隔壁に沿って変位してロープの周囲のロープ孔を塞ぐことができる。
【発明の効果】
【０００９】
本発明によれば、かご及びおもりを吊るすロープを通すために機械室と昇降路との隔壁に開けたロープ孔から伝わる騒音を抑制できる。
【図面の簡単な説明】
【００１０】
【図１】本発明の実施の形態１によるエレベータを示す全体構成図である。
【図２】図１に示す矢視II―IIで、エレベータ用遮音装置を示す部分断面図である。
【図３】図２に示す矢視IIIで、エレベータ用遮音装置を示す平面図である。
【図４】図２に示す矢視IV―IVで、エレベータ用遮音装置を示す断面図である。
【図５】本発明の実施の形態２によるエレベータ用遮音装置を示す正面図である。
【図６】図５に示す矢視Vで、エレベータ用遮音装置を示す平面図である。
【図７】本発明の実施の形態３によるエレベータ用遮音装置を示す平面図である。
【発明を実施するための形態】
【００１１】
実施の形態１．
本発明の一実施の形態について、図１から図４を参照して説明する。図１は本発明の実施の形態１によるエレベータを示す全体構成図、図２は図１に示す矢視II―IIで、エレベータ用遮音装置を示す部分断面図、図３は図２に示す矢視IIIで、エレベータ用遮音装置を示す平面図、図４は図２に示す矢視IV―IVで、エレベータ用遮音装置を示す断面図である。
【００１２】
図１において、昇降路１の上部には機械室２が設けられている。昇降路１と機械室２とは隔壁３により隔てられている。隔壁３は、機械室２の床４を形成するとともに昇降路１の天井５を形成している。機械室２には巻上機６が設置され、巻上機６には綱車７が回転可能に設けられている。巻上機６に隣接してそらせ車９が設置されている。複数のロープ１０が綱車７からそらせ車９に渡って巻き掛けられている。
【００１３】
綱車７及びそらせ車９の下方の隔壁３にはそれぞれロープ１０が通されるロープ孔１１が開けられている。ロープ孔１１は機械室２から昇降路１まで貫通して開けられている。それぞれのロープ孔１１を塞ぐように機械室２の床４には遮音装置１２が設置されている。昇降路１には、かご１３及びおもり１４が昇降可能に設置されている。
【００１４】
綱車７から遮音装置１２及びロープ孔１１を通されて昇降路１に降ろされたロープ１０には、かご吊り車１５を介してかご１３が吊られている。そらせ車９から遮音装置１２及びロープ孔１１を通されて昇降路１に降ろされたロープ１０には、おもり吊り車１６を介しておもり１４が吊られている。綱車７とそらせ車９は、それぞれの回転の中心線が互いに平行になるように設置されている。綱車７とかご吊り車１５を鉛直方向から見ると、それぞれの回転の中心線が互いに９０度の角度を成すように設置されている。そらせ車９とおもり吊り車１６を鉛直方向から見ると、それぞれの回転の中心線が互いに９０度の角度を成すように設置されている。
【００１５】
このため、綱車７とかご吊り車１５との間、及びそらせ車９とおもり吊り車１６との間では、鉛直方向に対して傾いて設けられたロープ１０がある。これらのロープ１０の傾きは、かご１３及びおもり１４の昇降にともない、大きくなったり小さくなったり変化する。このロープ１０の傾きの変化は、かご１３及びおもり１４の昇降にともない繰り返される。
【００１６】
これによりロープ１０がロープ孔１１を通過する位置は往復移動する。例えば、かご１３が建物の最上階にある場合には、それぞれのロープ１０はロープ孔１１の予め定まった位置を通り、かご１３が最下階にある場合には、それぞれのロープ１０はかご１３が最上階にある場合とは異なる予め定まった位置を通る。ロープ孔１１を通過するロープ１０の位置は、かご１３及びおもり１４の昇降にともない、これら２箇所の間を往復移動する。往復移動するロープ１０と隔壁３が干渉しないように、ロープ孔１１の大きさは決められている。
【００１７】
図２、図３において、遮音装置１２には、塞ぎ部材として枠体１８、ダクト１９、蓋２０が設けられている。枠体１８は、板状に形成されており、中央には複数のロープ１０が通される孔１８ａが１つ設けられている。枠体１８は、床４に沿って変位できるように床４の上に置かれている。枠体１８の孔１８ａの縁から上方へ突出して筒状のダクト１９が設けられ、ロープ１０はダクト１９の中を通されている。ダクト１９の上端部には、ロープ１０の周囲を塞ぐように板状の蓋２０が設けられている。
【００１８】
蓋２０にはロープ１０が通される孔２１が設けられている。孔２１は、それぞれのロープ１０の円状の断面に沿う円弧部２１ａと、互いに隣り合う円弧部２１ａ同士を連結する幅の細い切り欠き部２１ｂで形成されている。円弧部２１ａの大きさは、円状のロープ１０の断面よりも少し大きくしてある。かご１３及びおもり１４の昇降にともない蓋２０の孔２１を通過するロープ１０の位置は往復移動するが、蓋２０の孔２１の大きさはロープ１０の位置が往復移動する軌跡よりも小さい。枠体１８、ダクト１９、蓋２０は、相互の間に隙間ができないように接合されている。このように、円状のロープ１０の断面よりも少し大きい孔２１を除いてロープ孔１１は枠体１８、ダクト１９、蓋２０により塞がれている。
【００１９】
図２、図４において、平行に並ぶ複数のロープ１０のうち両端に位置するそれぞれのロープ１０は、係合手段としての係合装置２２によりダクト１９と係合されている。それぞれの係合装置２２には、接触部材としてロープ１０を挟む一対のローラ２３が設けられている。各ローラ２３はダクト１９に取り付けられた一対の保持部材２４により回転可能に保持されている。各ローラ２３の外周部には、ローラ２３の周方向に延びる環状の溝２３ａが設けられている。ローラ２３は蓋２０の孔２１よりもロープ１０の方へ突出され、ロープ１０と接触されて設けられている。
【００２０】
ローラ２３に設けられる溝２３ａとしては、例えば断面が円弧状とされた丸溝や、断面がＶ字状とされたＶ溝等が挙げられる。ロープ１０は、ローラ２３に設けられた溝２３ａに嵌った状態で一対のローラ２３の間に挟まれている。各ローラ２３は、綱車７が回転されてロープ１０が移動されるのに応じて回転される。各ローラ２３は、ロープ１０の長さ方向へのロープ１０の移動により、ロープ１０に接触しながら回転される。このように、係合装置２２は、ロープ孔１１を通過するロープ１０の位置の往復移動に関しては、ロープ１０の位置と遮音装置１２の位置とを関連付けている。また、ロープ１０の長さ方向への移動に関しては、ロープ１０の位置と遮音装置１２の位置とを独立させている。
【００２１】
かご１３及びおもり１４の昇降にともないロープ孔１１を通過するロープ１０の位置が往復移動すると、係合装置２２はロープ１０により押される。係合装置２２がロープ１０により押されることにより、ダクト１９、枠体１８、蓋２０は床４に沿って変位される。枠体１８は変位されてもロープ孔１１を塞ぐ大きさに設けてある。
【００２２】
このように構成されたエレベータ用遮音装置によれば、機械室２と昇降路１との隔壁３にロープ１０を通すために開けたロープ孔１１について、枠体１８、ダクト１９、蓋２０がロープ１０の周囲を塞ぎ、かご１３及びおもり１４が昇降するとロープ１０の位置が往復移動するのにともないロープ１０が係合装置２２を押し、ダクト１９、枠体１８、蓋２０は床４に沿って変位してロープ１０の周囲のロープ孔１１を塞ぐので、ロープ孔１１から伝わる騒音を抑制できる。
【００２３】
また、枠体１８と蓋２０の間にダクト１９を設けたので、孔２１を通るロープ１０と蓋２０との隙間から昇降路１側へ伝わる騒音をダクト１９の部分で減衰することができる。なお、騒音の状況によりダクト１９による減衰が必要ない場合は、ダクト１９を無くし、枠体１８と蓋２０にてロープ１０の周囲のロープ孔１１を塞いでも良い。
【００２４】
なお、本実施の形態では、蓋２０の孔２１は円弧部２１ａと切り欠き部２１ｂとで形成されているが、これに限定されず、例えば、互いに隣り合う円弧部同士を共通の接線で結んだ形状の孔にしても良い。
【００２５】
また、本実施の形態では、ダクト１９とロープ１０を係合したが、これに限定されず、例えば、蓋２０の機械室２側にローラ２３を設けて蓋２０とロープ１０とを係合するようにしても良い。また、ロープ１０と接触する接触部材はローラ２３に限定されず、例えば、摩擦係数が小さいフッ素樹脂を孔２１よりも突出するように蓋２０に取り付けても良く、ロープ１０と接触してもロープ１０を傷つけることが無い。
【００２６】
また、本実施の形態では、複数のロープ１０のうち両端のロープ１０をダクト１９と係合したが、これに限定されず、例えば、複数のロープ１０のうちいずれかの２本以上のロープ１０をダクト１９と係合しても良いし、全てのロープ１０をダクト１９と係合しても良い。
【００２７】
実施の形態２．
実施の形態１では、１つの蓋２０に１つの孔２１を設けて複数のロープ１０を通した場合で説明したが、本実施の形態では、１つの塞ぎ部材に１つのみ孔を設けて１本のみロープを通す場合で説明する。なお、他の実施の形態と同一符号の構成品は、本実施の形態において同一部分を示し説明を省略する。
【００２８】
図５は本発明の実施の形態２によるエレベータ用遮音装置を示す正面図、図６は図５に示す矢視Vで、エレベータ用遮音装置を示す平面図である。
【００２９】
図５、図６において、遮音装置３０には、ロープ孔１１の両側の床４に一対の支持部材３１が床４から突出して設けられている。これら支持部材３１の間に、上下方向に間隔を置いて板状の下部材３２と上部材３３とが設けられている。下部材３２と上部材３３はそれぞれの両端が支持部材３１に固定されている。下部材３２と上部材３３には、ロープ孔１１に連なる孔３２ａ、孔３３ａがそれぞれ１つずつ開けられ複数のロープ１０が通されている。孔３２ａと、孔３３ａは、かご１３及びおもり１４の昇降にともないロープ１０の位置が往復移動してもロープ１０が下部材３２、上部材３３と干渉しない大きさにしてある。
【００３０】
下部材３２と上部材３３の間の空間には、板状の複数の塞ぎ部材３４が下部材３２の上に並べられて配置されている。両端の塞ぎ部材３４の横には、それぞれ板状の塞ぎ部材３５が設けられている。それぞれの塞ぎ部材３５，３５は、孔３２ａの両端を塞ぐために塞ぎ部材３４よりも少し大きく形成されていること以外は、塞ぎ部材３４と同じである。塞ぎ部材３４、塞ぎ部材３５は、下部材３２の上を滑って隔壁３に沿う方向に変位できる。塞ぎ部材３４、塞ぎ部材３５は、例えば、フッ素樹脂のように摩擦係数が小さく、ロープ１０と接触してもロープ１０を傷つけない材料からなる。
【００３１】
ロープ１０との係合手段として、それぞれの塞ぎ部材３４、塞ぎ部材３５には、それぞれ１本のみロープ１０が通された孔３４ａ、孔３５ａが１つのみ開けられている。孔３４ａ、孔３５ａの大きさは、円状のロープ１０の断面よりも少し大きくしてある。かご１３及びおもり１４の昇降にともないロープ１０の位置が往復移動すると、ロープ１０はそれぞれ塞ぎ部材３４、塞ぎ部材３５に接触し、塞ぎ部材３４、塞ぎ部材３５を往復移動する向きに押す。それぞれのロープ１０がロープ孔１１の最も中央寄りに集まった状態のときに、孔３２ａ、ロープ孔１１が塞がれる大きさに塞ぎ部材３４、塞ぎ部材３５は形成されている。
【００３２】
このように構成されたエレベータ用遮音装置によれば、機械室２と昇降路１との隔壁３にロープ１０を通すために開けたロープ孔１１について、塞ぎ部材３４、塞ぎ部材３５がロープ１０の周囲を塞ぎ、かご１３及びおもり１４が昇降するとロープ１０の位置が往復移動するのにともないロープ１０が塞ぎ部材３４、塞ぎ部材３５を押し、塞ぎ部材３４、塞ぎ部材３５は床４に沿って変位してロープ１０の周囲のロープ孔１１を塞ぐので、ロープ孔１１から伝わる騒音を抑制できる。
【００３３】
また、かご１３及びおもり１４をそれぞれシャックル（図示せず）を介してロープ１０に吊っている場合は、かご１３及びおもり１４の昇降にともないロープ孔１１を通過するロープ１０の互いの間隔が変化する。このようにロープ１０の間隔が変化する場合でも、それぞれの塞ぎ部材３４、塞ぎ部材３５は、独立して床４に沿って変位し、ロープ１０の周囲のロープ孔１１を塞ぎ、ロープ孔１１から伝わる騒音を抑制できる。
【００３４】
なお、本実施の形態では、それぞれの塞ぎ部材３４、塞ぎ部材３５を下部材３２の上に並べた場合で説明したが、互いに隣り合う塞ぎ部材３４の端部同士、または互いに隣り合う塞ぎ部材３４と塞ぎ部材３５との端部同士が重なり合うようにしても良い。これによりかご１３及びおもり１４の昇降にともないロープ１０同士の間隔が開いた場合でも、互いに隣り合う塞ぎ部材３４同士、または塞ぎ部材３４と塞ぎ部材３５との間に隙間が開くことなくロープ孔１１を塞ぐので、より効果的にロープ孔１１から伝わる騒音を抑制できる。
【００３５】
実施の形態３．
実施の形態２では、１つの塞ぎ部材３４に孔３４ａを１つのみ設け、この孔３４ａに１本のみロープ１０を通した場合で説明したが、本実施の形態では、一対の塞ぎ部材により１本のロープを挟むようにした場合で説明する。なお、他の実施の形態と同一符号の構成品は、本実施の形態において同一部分を示し説明を省略する。
【００３６】
図７は本発明の実施の形態３によるエレベータ用遮音装置を示す平面図である。図７において、遮音装置５０には、短冊板状の枠体５１が床４に固定されて設けられている。枠体５１は複数のロープ１０が並べられている方向が長手方向となるように設けられている。枠体５１の中央には、枠体５１の長手方向に沿ってロープ孔１１に連なる長孔５１ａが１つ設けられ、それぞれのロープ１０はこの長孔５１ａに通されている。長孔５１ａは、かご１３及びおもり１４の昇降にともないロープ１０の位置が往復移動してもロープ１０が枠体５１と干渉しない大きさにしてある。
【００３７】
枠体５１の上には、塞ぎ部材５２が載せられている。一対の塞ぎ部材５２，５２は、１本のロープ１０を挟んで枠体５１の短手方向に互いに対向して配置されている。それぞれの塞ぎ部材５２には、円弧状の切り欠き部５２ａが形成されており、この切り欠き部５２ａの部分でロープ１０と接触されている。ロープ１０は、切り欠き部５２ａに嵌った状態で一対の塞ぎ部材５２の間に挟まれている。
【００３８】
このように対にされた塞ぎ部材５２，５２が、枠体５１の長手方向に並べられて複数設けられている。両端の塞ぎ部材５２，５２の横には、それぞれ対をなす塞ぎ部材５３，５３が設けられている。一対の塞ぎ部材５３，５３は、切り欠き部５３ａ，５３ａにおいて間に挟まれたロープ１０に接触されている。塞ぎ部材５３は、長孔５１ａの両端を塞ぐために塞ぎ部材５２よりも少し大きく形成されていること以外は、塞ぎ部材５２と同じである。
【００３９】
それぞれのロープ１０がロープ孔１１の最も中央寄りに集まった状態のときに、長孔５１ａ、ロープ孔１１が塞がれる大きさに塞ぎ部材５２、塞ぎ部材５３は形成されている。塞ぎ部材５２、塞ぎ部材５３は、枠体５１の上を滑って隔壁３に沿う方向に変位できる。塞ぎ部材５２、塞ぎ部材５３は、例えば、フッ素樹脂のように摩擦係数が小さく、ロープ１０と接触してもロープ１０を傷つけない材料からなる。
【００４０】
枠体５１の短手方向の両端部それぞれには、上方へ突出する凸部５１ｂが設けられている。この凸部５１ｂには弾性部材としてのばね５４が固定されている。ばね５４は、塞ぎ部材５２、塞ぎ部材５３の数と同じ数だけ設けられている。１つのばね５４の基部は凸部５１ｂに固定され、ばね５４の先端部には、塞ぎ部材５２、塞ぎ部材５３のいずれか１つが取り付けられている。ばね５４は、塞ぎ部材５２、塞ぎ部材５３をロープ１０に押し付けている。
【００４１】
かご１３及びおもり１４の昇降にともないロープ１０の位置が往復移動し、例えばロープ１０が一方の塞ぎ部材５２、塞ぎ部材５３を凸部５１ｂの方へ押すと、この塞ぎ部材５２、塞ぎ部材５３を押しているばね５４は、圧縮されて塞ぎ部材５２、塞ぎ部材５３は凸部５１ｂの方へ変位する。このとき対になっている他方の塞ぎ部材５２、塞ぎ部材５３を押しているばね５４は伸長して、ロープ１０に塞ぎ部材５２、塞ぎ部材５３を押し付けた状態が維持される。
【００４２】
本実施の形態の遮音装置５０によれば、実施の形態２の遮音装置３０と同様に、かご１３及びおもり１４の昇降にともないロープ１０の間隔が変化する場合でも、それぞれの塞ぎ部材５２、塞ぎ部材５３は、独立して床４に沿って変位し、ロープ１０の周囲のロープ孔１１を塞ぎ、ロープ孔１１から伝わる騒音を抑制できる。
【図１】
2016143111.tif 000003
【図２】
2016143111.tif 000004
【図３】
2016143111.tif 000005
【図４】
2016143111.tif 000006
【図５】
2016143111.tif 000007
【図６】
2016143111.tif 000008
【図７】
2016143111.tif 000009
【国際調査報告】
2016143111.tif 000010
2016143111.tif 000011
2016143111.tif 000012
2016143111.tif 000013